(57)【要約】植物の根の部分への酸素の供給が円滑であることから、植物の生育が良好であって、側面部分を突き抜けて育つことさえもできる植生箱を提供する。また、複数個の植生箱を配列して所望する形態の造景を作ることができるようにした、植生箱を利用した造景物を提供する。この植生箱300は、ベースプレート50を有する最下部モジュール30と、少なくとも一つの中間モジュール20と、最上部モジュール10とからなる。これらモジュール50,30,20は、相互に一定の間隔を維持するようにして相互に組み付けられ、これにより、前記培養土を収容する一つの内部空間310を形成し、また、相互に対向する周縁に、前記内部空間310の下部へと向かって傾いた傾斜面12,21,22,31を有する。【選択図】図１
2009526545.tif 000002
【特許請求の範囲】
【請求項１】
植物が植生できるように培養土を収容する植生箱において、
ベースプレートを有する最下部モジュール（３０）と、少なくとも一つの中間モジュール（２０）と、最上部モジュール（１０）とからなり、これらモジュールは、相互に一定の間隔を維持するようにして相互に組み付けられ、これにより、前記培養土を収容する内部空間を形成し、
最下部モジュール（３０）、中間モジュール（２０）および最上部モジュール（１０）は、それぞれ、相互に対向する周縁に、前記内部空間の下部へと向かって傾いた傾斜面を有し、これにより、相互に対向する傾斜面の間に空気通路（２０１）を形成することを特徴とする植生箱。
【請求項２】
最上部モジュール（１０）の上端部周縁が、最上部モジュール（１０）の下端部周縁に対し、所望する角度だけ傾いて形成されたことを特徴とする請求項１に記載の植生箱。
【請求項３】
前記の相互に対向する傾斜面にあって、下側の傾斜面の上端は、上側の傾斜面の下端と実質的に同一の高さに位置するか、または、より高い位置に位置することを特徴とする請求項１に記載の植生箱。
【請求項４】
所望する形態の造景をなすように植生箱を相互隣接させて組み合わせた、植生箱を利用する造景物において、
各植生箱は、ベースプレートを有する最下部モジュール（３０）と、少なくとも一つの中間モジュール（２０）と、最上部モジュール（１０）とからなり、これらモジュールは、相互に一定の間隔を維持するようにして相互に組み付けられ、これにより、前記培養土を収容する内部空間を形成し、
最下部モジュール（３０）、中間モジュール（２０）および最上部モジュール（１０）は、それぞれ、相互に対向する周縁に、前記内部空間の下部へと向かって傾いた傾斜面を有し、これにより、相互に対向する傾斜面の間に空気通路（２０１）を形成し、
前記の相互に対向する傾斜面にあって、下側の傾斜面の上端は、上側の傾斜面の下端と実質的に同一の高さに位置するか、または、より高い位置に位置し、
各植生箱にあって、最上部モジュール（１０）の上端部周縁は、最上部モジュール（１０）の下端部周縁に対し、所望する角度だけ傾いて形成され、各植生箱の培養土を傾いて培土できるようにし、
植生箱が相互に隣接させて組み合わされ、これにより、各植生箱に植生された植物が高低を有する丘陵を形成するようにしたことを特徴とする植生箱を利用した造景物。
【発明の詳細な説明】
【技術分野】
【０００１】
本発明は植生箱およびこれを利用した造景物に関し、特に、植物の根の部分に酸素の供給が円滑であるため、側面を通じても植物が育つことができ、複数個の植生箱から所望する形態の造景を作ることができるようにした植生箱およびこれを利用した造景物に関する。
【背景技術】
【０００２】
植物の根は生長のために水分と栄養分の吸収以外にも呼吸という大きな機能を持っている。植生箱の構成において、このような根の呼吸機能を極大化しようとする多くの技術が提案されている。
【０００３】
例えば、韓国特許登録第0479212号に開示された植生箱および造景物は、植生箱の側面に通気孔を開けて根の呼吸を円滑にできるようにする。開示された技術は、植生箱の側面に通気孔を開け、組み立て式植栽箱を複数個連結および組み合わせて造景物を構成する方式である。このような方式は、ブロック形態からなる複数個の箱を連結したとき、箱間の接合面は通気が難しいことがあり、通気孔が外部に露出した部分は通気が可能であるが、植生に使用された土壌が漏れ出したり、上部から水を供給した場合、植生箱の側面の通気孔を通じて漏水が起きることによって、周辺を汚染させるという問題点がある。
【０００４】
一方、韓国特許登録第0377569号に開示された室内庭は、送風ファンを植木鉢に設置して通気を円滑にするものであって、これは空気を植木鉢の外部から送風ファンを利用して強制流入させて植木鉢の下部から上部へ気流を形成することによって、円滑な通気が行われるようにしたものである。しかしながら、このような方式は水を入れるプランターと送風ファンの装着に起因して、製作コストと全体的なサイズの増加、器具の電気使用による電気料金及び安全性における負担、ファンによる汚染ガスの発生、故障率、及び騒音が実用に多くの制約をもたらす。
【０００５】
一方、通常の植木鉢や植生箱は、底面と傾斜なしに水平に土壌を積んで整え、その上に植物の根を植える方式であって、植木鉢に植えられた地被植物をはじめとする背の低い植物は、背が低い子供やヒトにとり、植木鉢に遮られて見えず植物の観賞的効果を落とす。
【特許文献１】米国特許US6442895
【特許文献２】特開2002-58348
【特許文献３】特開2005-229827
【特許文献４】韓国特許出願公開2005-79036
【特許文献５】米国特許US6105309
【発明の開示】
【発明が解決しようとする課題】
【０００６】
本発明は上記のような問題点を解決するために案出されたもので、次のような目的を有する。第一に、培養土および培養水の漏出を防止しながら側面を通じて植物の根側に外部空気が円滑に供給されるようにした植生箱およびこれを利用した造景物を提供することにその目的がある。第二に、収容された培養土の側面を通じても植物を安定して支持しながら植生できるようにした植生箱およびこれを利用した造景物を提供することにその目的がある。第三に、自然の丘陵のように自然な造景を実現できるようにした植生箱およびこれを利用した造景物を提供することにその目的がある。
【課題を解決するための手段】
【０００７】
前記目的を達成するための本発明は、植物が植生できるように培養土を収容する植生箱において、ベースプレートを有する最下部モジュールと、少なくとも一つの中間モジュールと、最上部モジュールとからなり、これらモジュールは、相互に一定の間隔を維持するようにして相互に組み付けられ、これにより、前記培養土を収容する内部空間を形成し、また、前記最下部モジュール、中間モジュールおよび最上部モジュールは、それぞれ、相互に対向する周縁に、前記内部空間の下部へと向かって傾いた傾斜面が形成され、これにより、相互に対向する傾斜面の間に空気通路を形成することを特徴とする。
【０００８】
好ましくは、本発明による植生箱は、前記の相互に対向する傾斜面にあって、下側の傾斜面の上端は、上側の傾斜面の下端部と実質的に同一の高さに位置するか、または、より高い位置に位置することを特徴とする。また、好ましくは、本発明による植生箱は、最上部モジュールの上端部周縁は、最上部モジュールの下端部周縁に対し、所望する角度に傾いて形成されたことを特徴とする。
【０００９】
前記目的を達成するための本発明は、植生箱を相互隣接させて所望する形態の造景を組成する植生箱を利用した造景物において、各植生箱は、ベースプレートを有する最下部モジュールと、少なくとも一つの中間モジュールと、最上部モジュールとからなり、これらモジュールは、相互に一定の間隔を維持するようにして相互に組み付けられ、これにより、前記培養土を収容する内部空間を形成し、最下部モジュール、中間モジュールおよび最上部モジュールは、それぞれ、相互に対向する周縁に、前記内部空間の下部へと向かって傾いた傾斜面を有し、これにより、相互に対向する傾斜面の間に空気通路を形成し、前記の相互に対向する傾斜面にあって、下側の傾斜面の上端は、上側の傾斜面の下端と実質的に同一の高さに位置するか、または、より高い位置に位置し、各植生箱にあって、最上部モジュールの上端部周縁は、最上部モジュールの下端部周縁に対し、所望する角度に傾いて形成され、各植生箱の培養土を傾いて培土できるようにし、植生箱が相互に隣接させて組み合わされ、これにより、各植生箱に植生された植物が高低を有する丘陵を形成するようにしたことを特徴とする。
【発明の効果】
【００１０】
上述した本発明の特徴によれば、培養土の漏出を防止させながら植生箱の側面の空気通路を通じて植物の根に酸素供給が円滑に行われるようにする。また、植生箱の側面の空気通路を通じて植物が育つことができるようにすることによってより幅広い造景を可能にし、空気通路の傾斜面に植物が支持されるようにして安定した植生を可能にする。また、各最上部モジュールの上端周縁の傾度が異なり、培養土の傾度が異なる複数個の植生箱を組み合わせて自然の丘陵のような造景を実現することができるようにする。
【発明を実施するための最良の形態】
【００１１】
以下、添付した図面を参照しながら本発明の好ましい実施例を詳しく説明する。同様の部材には同様の参照符号を付している。
【００１２】
本発明の実施例による植生箱３００は、図９および図１０に示すように、植物１１０が植生できるように培養土１００を収容し、次のような構造を有する。
【００１３】
図１乃至図６を参照すると、この植生箱３００は、排水孔３５が形成されベースプレートを有する最下部モジュール３０、少なくとも一つの中間モジュール２０および最上部モジュール１０からなり、これらモジュールが、支持台４０により相互一定の間隔を維持するように組み合わされ、前記培養土１００を収容する一つの内部空間３１０を形成する。
【００１４】
前記各モジュール１０、２０、３０および支持台４０は木材または合成樹脂材から形成されることができ、釘や接着剤などで接合される。また、前記各モジュール１０、２０、３０は、円形のリング形状または多角のリング形状で形成される。実施例のモジュール１０、２０、３０は四角のリング形状で形成した。なお、図面部号５０は、ベースプレート（土受け板）であり、図面部号５１は、その排水孔である。
【００１５】
最下部モジュール３０、中間モジュール２０および最上部モジュール１０は、それぞれ、相互対向する周縁には、前記内部空間３１０の下部に向かって傾いた傾斜面１２、２１、２２、３１が形成され、これにより空気通路２０１を形成する。
【００１６】
ここで、図６に示すように、相互に対向する傾斜面１２及び２１、２２及び３１にあって、下側の傾斜面２１、３１の上端は、上側の傾斜面１２、２２の下端と実質的に同一の高さに位置するか、または、より高い位置に位置するように形成される（点線"Ａ"参照）。このようであると、図９に示すように、内部空間３１０に培養土１００を収容させても培養土１００が空気通路２０１を通じて外部に漏れ出さない。また、上部から植生水が供給されても空気通路２０１を通じて漏水せず、植生箱３００の下部分にまで植生水が自然に供給および排水される。
【００１７】
また、本発明の実施例による各植生箱３００は、最上部モジュール１０の上端部周縁が最上部モジュール１０の下端部周縁に対し、所望する角度だけ傾いて形成される。このようであると、収容された培養土１００の上面を所望する角度、例えば２０度乃至６０度程度に傾いて培土できる。これにより、図８に示すように、水平位置からでも、植生箱３００に植栽された全体の植物を観望できる。
【００１８】
一方、図７に示すように、最上部モジュール１０に、上端周縁が水平な調整モジュール１を少なくとも一つ載せ、このようにして、植生箱３００の高さを調節して使用することもできる。
【００１９】
このような構成の植生箱３００であると、図９に示すように側面の空気通路２０１を通じて外部の空気が培養土１００を通過して根１１１部分に円滑に供給される。また、図１０に示すように、空気通路２０１を通り抜けて植物が生育することを可能にする。この場合、傾斜面３１の端部に植物１１０が支持されて安定した生育を可能にする。
【００２０】
また、図８に示すように、植生箱３００の最上部モジュールを傾いて形成し、培養土１００を傾いて培土することによって、水平位置でも全体の植物を観望できるようにする。
【００２１】
一方、本発明の実施例による造景物を示す図１１ないし図１３を参照するならば、これは、前記実施例でのような植生箱３００を、所望するパターンに組み合わせて造景したものである。最上部モジュール１０の上端周縁の傾度が互いに異なる植生箱３００を相互に隣接させて組み合わせ、植生された植物の高低を互いに異なるようにして自然の丘陵を実現することができるようにした。ここで、相互に組み合わされた植生箱３００は、傾斜面により形成される空気通路２０１が互いに接するようになることによって、他の植生箱により取り囲まれる内側に位置した植生箱３００ａにまで外部の空気が円滑に流入できるようにし、内側の植生箱３００ａにも植物の根に空気が円滑に供給される。
【００２２】
上述したように、本発明によると、傾斜面を有する複数のモジュールにより、培養土の漏出を防止しつつ、植生箱の側面の空気通路を通じて植物の根へと酸素供給を円滑に行うことができる。
【００２３】
また、植生箱の側面の空気通路を通り抜けて植物が育つことができるようにすることによって、より幅広い造景を可能にし、空気通路の傾斜面に植物が支持されるようにして安定した植生を可能にする。
【００２４】
また、各最上部モジュールの上端周縁の傾度が異なり、培養土の傾度が異なる複数個の植生箱を隣接させて組み合わせることで、自然の丘陵のような造景を実現することができる。
【００２５】
また、複数の植生箱を相互に隣接させて組み合わせても、傾斜面を有する空気通路により、内部に位置した植生箱にも側面を通じた植物の根への酸素供給が円滑に行われる。
【００２６】
以上では、本発明の多様な実施例について説明したが、本発明はこれに限定されず、当業者が前記本願の思想と範囲を離脱することなく、多様な変更及び変形を加えて実施することが可能であり、その場合もまた本発明の範囲に属する。
【００２７】
上述したように、本発明は、植物の根の部分への酸素の供給が円滑であり、そのため、植物の生育が良好であって、側面部分を突き抜けて育つことさえもできる植生箱を提供する。また、複数個の植生箱を配列して所望する形態の造景を作ることができるようにした、植生箱を利用した造景物を提供する。
【図面の簡単な説明】
【００２８】
【図１】本発明の実施例による植生箱を示す斜視図である。
【図２】図１の植生箱の分解斜視図である。
【図３】図１の植生箱の平面図である。
【図４】図１の植生箱の正面図である。
【図５】図１の植生箱の側面図である。
【図６】図１の植生箱の断面図である。
【図７】他の実施例による植生箱の断面図である。
【図８】図１の植生箱などで、培養土を収容して植物を植生した状態を示す図である。
【図９】本発明の植生箱の要部断面図である。
【図１０】空気通路を通り抜けて植生する状態の要部断面図である。
【図１１】本発明の実施例による造景物を説明すべく、植生箱を配列して組み合わせた状態を示す斜視図である。
【図１２】図１１の植生箱の組み合わせに植物を植生した状態を示す側面図である。
【図１３】図１１の植生箱の組み合わせの平面図である。
【図１】
2009526545.tif 000003
【図２】
2009526545.tif 000004
【図３】
2009526545.tif 000005
【図４】
2009526545.tif 000006
【図５】
2009526545.tif 000007
【図６】
2009526545.tif 000008
【図７】
2009526545.tif 000009
【図８】
2009526545.tif 000010
【図９】
2009526545.tif 000011
【図１０】
2009526545.tif 000012
【図１１】
2009526545.tif 000013
【図１２】
2009526545.tif 000014
【図１３】
2009526545.tif 000015
【国際調査報告】
2009526545.tif 000016
2009526545.tif 000017